(57)【要約】【課題】容易に服を着せ替えることができる電飾トルソーを提供する。【解決手段】床面に立設される支柱３の上端４と、中空トルソー本体１の下端部位５とを、機械的接続手段Ｘにて、連結分離自在に構成する。さらに、上下方向に差込引抜自在に接続される電気的接続機構Ｙを設ける。【選択図】図３
2009254749.tif 000002
【特許請求の範囲】
【請求項１】
床面（Ｇ）に立設される支柱（３）の上端（４）と、中空トルソー本体（１）の下端部位（５）とを、機械的接続手段（Ｘ）にて、連結分離自在に構成し、さらに、上下方向に差込引抜自在に接続される電気的接続機構（Ｙ）を設けたことを特徴とする電飾トルソー。
【請求項２】
上記機械的接続手段（Ｘ）の連結分離方向を上下方向として、上記電気的接続機構（Ｙ）の差込引抜方向と一致させて、同時に行なうように構成した請求項１記載の電飾トルソー。
【請求項３】
上記機械的接続手段（Ｘ）及び上記電気的接続機構（Ｙ）が、ガイド用雌部（６）とガイド用雄部（７）を、有し、かつ、共用している請求項１又は２記載の電飾トルソー。
【請求項４】
上記ガイド用雌部（６）が、誘導勾配面（12）又は誘導用アール面（14）を開口端（13）に有する請求項３記載の電飾トルソー。
【請求項５】
上記支柱（３）は、中空状であって、下方の外筒（８）に上方の内筒（９）を伸縮自在に挿入し、かつ、自身の弾発力にて短縮するカール部（10）を有する電気コード（11）を、上記中空状支柱（３）内に挿通した請求項１，２，３又は４記載の電飾トルソー。
【発明の詳細な説明】
【技術分野】
【０００１】
本発明は、電飾トルソーに関する。
【背景技術】
【０００２】
従来、下着や清涼素材スーツ等のディスプレイには、内部に光源を有する電飾トルソーが、よく用いられる（例えば、本出願人がかつて提案した特許文献１参照）。
【０００３】
しかし、電源コードが大腿部から下方へ突出しており、服を着せ替える際に電源コードが邪魔となり、手間がかかるという欠点があった。また、ネジの螺進退によってトルソー本体と支柱を着脱するので、服の着せ替えに手間がかかるという欠点があった。
【特許文献１】実用新案登録第３１１８４２８号公報
【発明の開示】
【発明が解決しようとする課題】
【０００４】
解決しようとする課題は、服を着せ替える際に、手間がかかる点である。
【課題を解決するための手段】
【０００５】
そこで、本発明に係る電飾トルソーは、床面に立設される支柱の上端と、中空トルソー本体の下端部位とを、機械的接続手段にて、連結分離自在に構成し、さらに、上下方向に差込引抜自在に接続される電気的接続機構を設けたものである。
【０００６】
また、上記機械的接続手段の連結分離方向を上下方向として、上記電気的接続機構の差込引抜方向と一致させて、同時に行なうように構成したものである。
また、上記機械的接続手段及び上記電気的接続機構が、ガイド用雌部とガイド用雄部を、有し、かつ、共用しているものである。
【０００７】
また、上記ガイド用雌部が、誘導勾配面又は誘導用アール面を開口端に有するものである。
また、上記支柱は、中空状であって、下方の外筒に上方の内筒を伸縮自在に挿入し、かつ、自身の弾発力にて短縮するカール部を有する電気コードを、上記中空状支柱内に挿通したものである。
【発明の効果】
【０００８】
本発明の電飾トルソーによれば、中空トルソー本体を支柱の上端に機械的に接続すると、自動的に電気的にも接続されるので、中空トルソー本体の着脱及び電気的接続を容易かつ迅速に行なうことができ、これによって、容易に服を着せ替えることができる。
【発明を実施するための最良の形態】
【０００９】
図１は、本発明の第１の実施の形態の使用状態を示す。この電飾トルソーは、半透明プラスチック製（例えば、ポリエチレン製）の中空トルソー本体１（図２・図３・図５参照）の内部に電球、又は、蛍光灯等の照明器２を有する。そして、支柱３にて床面Ｇに立設されている。
【００１０】
具体的には、図２〜図５に示すように、床面Ｇに立設される支柱３の上端４と、中空トルソー本体１の下端部位５とが、機械的接続手段Ｘにて、連結分離自在に構成されている。上下方向に差込引抜自在に接続される電気的接続機構Ｙが設けられている。電気的接続機構Ｙは、コンセント（レセプタクル）15とプラグ16を有する。機械的接続手段Ｘの連結分離方向を上下方向として、電気的接続機構Ｙの差込引抜方向と一致させて、同時に行なうように構成されている。機械的接続手段Ｘ及び電気的接続機構Ｙが、ガイド用雌部６とガイド用雄部７を、有し、かつ、共用している。上側のガイド用雌部６の中にコンセント15（ネジやその他の固定部材にて）が固着され、下側のガイド用雄部７の中にプラグ16が（ネジや他の固着部材にて）固着されている。
【００１１】
支柱３は、中空状であって、下方の外筒８に上方の内筒９が伸縮自在に挿入されている。自身の弾発力にて短縮するカール部10を有する電気コード11が、中空状支柱３内に挿通されている。外筒８の上端には、蝶ネジ（又はグリップ付きボルト部材）がラジアル方向のネジ孔に螺進退自在に螺着されており、内筒９を所望の高さに固定できる。
【００１２】
図６は、第２の実施の形態を示す。ガイド用雌部６が、誘導勾配面12を開口端13に有する。その他の構成は、第１の実施の形態と同様である。
【００１３】
図７は、第３の実施の形態を示す。ガイド用雌部６が、誘導用アール面14を開口端13に有する。その他の構成は、第１の実施の形態と同様である。
【００１４】
なお、本発明は、設計変更可能であって、例えば、ガイド用雌部６及びガイド用雄部７を有底円筒状としても良い。また、上側にガイド用雄部７を配設してその中にコンセント15を固着するとともに、下側にガイド用雌部６を配設してその中にプラグ16を固着するも良い。
【００１５】
以上のように、本発明は、床面Ｇに立設される支柱３の上端４と、中空トルソー本体１の下端部位５とを、機械的接続手段Ｘにて、連結分離自在に構成し、さらに、上下方向に差込引抜自在に接続される電気的接続機構Ｙを設けたので、中空トルソー本体１を支柱３から分離すると、自動的に電気接続が分離されて、邪魔な電気コード11が垂れ下がらないので、容易に服を着せ替えることができる。
【００１６】
また、機械的接続手段Ｘの連結分離方向を上下方向として、電気的接続機構Ｙの差込引抜方向と一致させて、同時に行なうように構成したので、組立てと同時に自動的に電気コンセントの接続・分離をすることができる。そして、安全性を確保することができる。容易に服を着せ替えることができる。すなわち、中空トルソー本体１と支柱３を容易に連結分離（差込引抜き）することができる。そして、衣服を着せたままで抜き差しすることができる。下方から衣服を着せたり脱がせたりすることができる。
【００１７】
また、機械的接続手段Ｘ及び電気的接続機構Ｙが、ガイド用雌部６とガイド用雄部７を、有し、かつ、共用しているので、容易に服を着せ替えることができる。すなわち、中空トルソー本体１と支柱３を容易に連結分離（差込引抜き）することができる。
【００１８】
また、ガイド用雌部６が、誘導勾配面12又は誘導用アール面14を開口端13に有するので、ガイド用雌部６にガイド用雄部７を容易に差込むことができる。
【００１９】
また、支柱３は、中空状であって、下方の外筒８に上方の内筒９を伸縮自在に挿入し、かつ、自身の弾発力にて短縮するカール部10を有する電気コード11を、中空状支柱３内に挿通したので、電気コード11がほとんど見えず、電飾トルソーとして意匠上好ましい。すなわち、デザイン上好ましい。さらに、容易に高さ調整を行なうことができる。
【図面の簡単な説明】
【００２０】
【図１】本発明の第１の実施の形態の使用状態を示す正面図である。
【図２】正面図である。
【図３】断面正面図である。
【図４】機械的接続手段及び電気的接続機構の作用を説明するための要部拡大断面説明図である。
【図５】分解図である。
【図６】第２の実施の形態を示す図であって、（Ａ）は斜視図、（Ｂ）は要部拡大断面図である。
【図７】第３の実施の形態を示す図であって、（Ａ）は斜視図、（Ｂ）は要部拡大断面図である。
【符号の説明】
【００２１】
１  中空トルソー本体
３  支柱
４  上端
５  下端部位
６  ガイド用雌部
７  ガイド用雄部
８  外筒
９  内筒
10  カール部
11  電気コード
12  誘導勾配面
13  開口端
14  誘導用アール面
Ｇ  床面
Ｘ  機械的接続手段
Ｙ  電気的接続機構
【図１】
2009254749.tif 000003
【図２】
2009254749.tif 000004
【図３】
2009254749.tif 000005
【図４】
2009254749.tif 000006
【図５】
2009254749.tif 000007
【図６】
2009254749.tif 000008
【図７】
2009254749.tif 000009